(57)【特許請求の範囲】
【請求項１】
ほぼ鞍状に一体成形された型物成形品である合成樹脂製の本体前半部と本体後半部からなり、本体前半部は、内側に電線を通すほぼ逆さＶ字状断面形の前部電線案内溝が、外側に防護カバーを通す円弧状断面形のカバー挿通溝が下向きに形成されている内外二重溝構造であって、本体後半部には、上記前部電線案内溝に連続する後部電線案内溝と上記カバー挿通溝に連続する見掛け上はほぼＣの字状断面形のカバー挿通孔が形成され、本体前半部と本体後半部の周面の頂部は、上記前後部両電線案内溝の長手方向への中心線上に沿って、離間可能に連続して切り裂かれており、その切り裂き部と上記後部電線案内溝を反対方向へ弾性的に開閉する押圧用摘み片が、上記後部電線案内溝より下方へ延びる状態で、本体後半部の両側に相対向して一体的に連設されていることを特徴とする電線の防護カバー取付け具。
【請求項２】
前部電線案内溝の両側面部は、本体後半部との境界部分から先端に向かって上り勾配状に形成されていること特徴とする請求項１記載の電線の防護カバー取付け具。
【請求項３】
後部電線案内溝の両側縁辺部の内側は奥行き方向へ向かって上り勾配状の案内肩部に形成されていることを特徴とする請求項１又は２記載の防護カバー取付け具。
【請求項４】
押圧用摘み片の内側と本体後半部に形成されている下面板部の間にはストラップ用の止め環が掛け渡し状態に設けられていること特徴とする請求項１，２又は３記載の電線の防護カバー取付け具。
【発明の詳細な説明】
【技術分野】
【０００１】      本発明は、光ケーブル等の電線に防護カバーを被覆するために用いる、電線の防護カバー取付け具に関する。
【背景技術】
【０００２】      電線の防護カバー取付け具としては、長手方向に電線の防護カバーを挿通する弧状断面形の挿通孔が設けられ、その外周面が円弧状断面形の握り面部に内周面がＶ字状断面形の電線案内溝に形成されている取付け具本体に、電線案内溝の先端に連続させた状態で、上記保護カバー内に先行して挿入される押し開き片が一体に設けられている構造のものが知られている（例えば、特許文献１参照。）。なお、防護カバーは、縦裂きして常時は弾性により巻き込み状態にくせ付けされている、その相対向した両縁辺側が押し開き可能に重合している構成である。
【特許文献１】  特開平１０−３２２８２５号公報
【発明の開示】
【発明が解決しようとする課題】
【０００３】      上記従来構造の防護カバー取付け具は、片方の手のひらで握り面部を握り、電線案内溝に電線を押し付けながら移動させて用いるので、電線は電線案内溝から逸脱して防護カバーから離れ易く、円滑に被覆作業を行なうことができなくなる。そのため、他方の手の指で電線を案内溝側へガイドしながら取付け具を移動させなければならず、作業は両手操作が必要になるという作業性の点で問題があった。【０００４】  また、取付け具は握って用いるために全長が長く、電線のドロップ個所（電線の曲線部）では電線に負担をかけてしまう虞れがあって、光ケーブルの場合には破壊に至ることが往々にしてある。更に、握りタイプであると、取付け具の持ち方も決められて作業者には不便になることは避けられず、その改善策が要望されていた。【０００５】      本発明はこのような問題を解決したものであって、その目的は防護カバーの挿通性に優れ、かつ電線の保持案内機能を備えていて、案内溝から電線の逸脱する不具合の発生は完全に防止され、防護カバーの電線への被覆作業が安定して容易・迅速にできる電線の防護カバー取付け具を提供することにある。また、他の目的は全体が手のひらの中に隠れて収まってしまう小型であって、片手操作により指先で摘んで作業者が作業し易いような使用方法（持ち方）も可能であるように改良した電線の防護カバー取付け具を提供することにある。
【課題を解決するための手段】
【０００６】上記目的を達成するために、本発明の特徴とする電線の防護カバー取付け具は、ほぼ鞍状に一体成形された型物成形品である合成樹脂製の本体前半部と本体後半部からなり、本体前半部は、内側に電線を通すほぼ逆さＶ字状断面形の前部電線案内溝が、外側に防護カバーを通す円弧状断面形のカバー挿通溝が下向きに形成されている内外二重溝構造であって、本体後半部には、上記前部電線案内溝に連続する後部電線案内溝と上記カバー挿通溝に連続する見掛け上はほぼＣの字状断面形のカバー挿通孔が形成され、本体前半部と本体後半部の周面の頂部は、上記前後部両電線案内溝の長手方向への中心線上に沿って、離間可能に連続して切り裂かれており、その切り裂き部と上記後部電線案内溝を反対方向へ弾性的に開閉する押圧用摘み片が、該後部電線案内溝より下方へ延びる状態で、本体後半部の両側に相対向して一体的に連設されている構成である。【０００７】      この電線の防護カバー取付け具において、本体前半部の前部電線案内溝の両側面部は本体後半部との境界部分から先端に向かって上り勾配状に形成されていることが、防護カバーへの挿入が容易にできるようになって好ましく、この前部電線案内溝の先端はカバー挿通溝の先端より若干突出しているのが望ましい。また、本体後半部の後部電線案内溝の両側縁辺部の内側は奥行き方向へ向かって上り勾配状の案内肩部に形成されていることが好ましく、電線はこの案内肩部によりガイドされ、防護カバー側へ向かって接近できるようになる。更に、押圧用摘み片の内側には押圧用摘み片の補強を兼ねてストラップ用の止め環が設けられている形態として実施できる。
【発明の効果】
【０００８】      本発明は上記の如くであって、双方の押圧用摘み片を指先で摘み、前部電線案内溝を通して電線を後部電線案内溝に挿入した後、押圧用摘み片を取付け具自体の弾性に抗して押し合わせると（前後両電線案内溝の一連の谷部がヒンジ部として機能する）、後部電線案内溝が閉じる一方、切り裂き部は離間するようになる。したがって、電線は後部電線案内溝により安定して保持されると共に、切り裂き部の離間によって防護カバーのカバー挿通溝と挿通孔への挿通操作は容易となり、取付け具をその装着状態で電線に沿って移動させれば、電線への被覆作業は片手操作により容易・迅速にできるものであって、作業性は一段と向上する。【０００９】      また、取付け工具は摘み操作できる小型のものであるから、作業者が作業し易いような持ち方による使用も可能であることは勿論、電線のドロップ個所でも電線に負担をかけずに作業できる取り扱い上の利点がある。
【発明を実施するための最良の形態】
【００１０】      以下に、本発明を実施するための一形態を図面を参照して説明する。１，２はほぼ鞍状に一体成形された合成樹脂（例えばポリプロピレン）製の型物成形品である本体前半部と本体後半部であって、本体前半部１は内側に光ケーブル等の電線Ｃ（図５を参照）を通すほぼ逆さＶ字状断面形の前部電線案内溝１１が、また外側に防護カバーＰ（図５を参照）を通す円弧状断面形のカバー挿通溝１２が下向きにそれぞれ形成されている内外二重溝構造である。他方の本体後半部２には上記前部電線案内溝１１に連続する後部電線案内溝２１と上記カバー挿通溝１２に連続する見掛け上はほぼＣの字状断面形のカバー挿通孔２２が形成されている。【００１１】      本体前半部１と本体後半部２の周面ａの頂部は、上記前後部両電線案内溝１１，２１の長手方向への中心線上に沿って、離間可能に連続して切り裂かれており、その切り裂き部３と上記後部電線案内溝２１は、該後部電線案内溝２１より下方へ向かって本体後半部の両側に相対向した状態で一体的に連設されている一対の押圧用摘み片４，４の押圧操作によって、前後部両電線案内溝１１、２１の一連の谷部をヒンジ部として反対方向へ弾性的に開閉する仕組になっている。なお、後部電線案内溝２１の外側周面と本体後半部２の内側周面との間の間隙部分がカバー挿通孔２２に形成されており、５，５はその長手方向への結合部を形成している下面板部である。【００１２】      本体前半部１の前部電線案内溝１１の両側面部は後部電線案内溝２１との境界部分から先端に向かって上り勾配状に形成され（符号１１ａは前部電線案内溝１１の上り勾配状にカットされた両側面部の縁辺を示す）、その先端部分は、防護カバーＰ内への挿入性の関係で、カバー挿通溝１２の先端より若干突出している。また、本体後半部２の後部電線案内溝２１の相対向する両側縁辺部の内側は奥行き方向へ向かって上り勾配状の案内肩部２１ａ，２１ａに形成されており、この案内肩部２１ａ，２１ａは、押圧用摘み片４，４の押圧時に互いに当接して後部電線案内溝２１を閉じることができる。したがって、後部電線案内溝２１に挿入された電線Ｃは、該後部電線案内溝２１に保持されると同時に案内肩部２１ａ，２１ａによりガイドされて、取付け具とは相対的に移動して防護カバーＰに接近できる。【００１３】      押圧用摘み片４，４の内側と下面板部５，５の間にはストラップ用の止め環６，６が掛け渡し状態に設けられており、この止め環６，６は押圧用摘み片４，４の補強部材としても機能している。図示の場合、後部電線案内溝２１の断面形状は光ケーブル用として形成されているものであるが、これは被覆される電線の形状に対応できるように選定して実施することは勿論である。なお、本防護カバー取付け具の大きさは、高さＨが２６．５〜３２．５ｍｍ程度、幅Ｗが２７〜８０ｍｍ程度、奥行きＬが２７〜３０ｍｍ程度の手のひらの中に隠れて収まることができる小型のものである。
【図面の簡単な説明】
【００１４】
【図１】  本発明の実施例の一形態を一部を切り欠いて示す斜視図である。
【図２】  図１の正面図である。
【図３】  図１の底面図である。
【図４】  図２のＡ−Ａ線断面図である。
【図５】  図１に示すものの使用状態を表す略示的斜視図で、指先による押圧が解かれている図である。
【符号の説明】
【００１５】  １は本体前半部
２は本体後半部
３は切り裂き部
４は押圧用摘み片
５は下面板部
６は止め環
１１は前部電線案内溝
１２はカバー挿通溝
２１は後部電線案内溝
２１ａは案内肩部
２２はカバー挿通孔
ａは周面
Ｃは電線
Ｐは防護カバー
【図１】
0004482444.tif 000002
【図２】
0004482444.tif 000003
【図３】
0004482444.tif 000004
【図４】
0004482444.tif 000005
【図５】
0004482444.tif 000006